(57)【要約】【課題】給湯装置の外観の向上を図り得る給湯装置のカバー固定構造を提供する。【解決手段】給湯装置１のカバー固定構造３０は、カバー部材２１のフランジ部２２ａ〜２４ａとケース本体１０の一方に形成されたダルマ穴３１と、フランジ部２２ａ〜２４ａとケース本体１０の他方に設けられた係合突部３２であって、ダルマ穴３１に挿入してダルマ穴３２に対して相対的にスライドすることでカバー部材２１をケース本体１０に取り付け可能な係合突部３２と、ダルマ穴３１の近傍壁部でもって形成され且つ他方とは反対側に突出するように形成された弾性支持部３３とを有し、弾性支持部３３を係合突部３２の先端部裏面側に弾性的に当接させることで、フランジ部２２ａ〜２４ａをケース本体１０に密着状に固定可能に構成されている。【選択図】図２
2014105910.tif 000002
【特許請求の範囲】
【請求項１】
ケース本体と、このケース本体に着脱自在に取り付け可能なカバー部材とを備え、前記カバー部材の端部を内方へ屈曲させてフランジ部を形成し、このフランジ部を介して前記カバー部材を前記ケース本体に固定する給湯装置のカバー固定構造において、
前記フランジ部と前記ケース本体の一方に形成されたダルマ穴と、
前記フランジ部と前記ケース本体の他方に設けられた係合突部であって、前記ダルマ穴に挿入して前記ダルマ穴に対して相対的にスライドすることで前記カバー部材を前記ケース本体に取り付け可能な係合突部と、
前記ダルマ穴の近傍壁部でもって形成され且つ前記他方とは反対側に突出するように形成された弾性支持部とを有し、
前記弾性支持部を前記係合突部の先端部裏面側に弾性的に当接させることで、前記フランジ部を前記ケース本体に密着状に固定可能に構成したことを特徴とする給湯装置のカバー固定構造。
【請求項２】
前記弾性支持部は、前記スライド方向と直交する方向と平行に形成され且つ前記他方から離隔するように傾斜する１対の傾斜部を有する折曲部で構成されていることを特徴とする請求項１に記載の給湯装置のカバー固定構造。
【請求項３】
前記他方には前記ダルマ穴に対応する位置に開口部が形成され、この開口部の周縁にはバーリング加工で形成された外方に突出した筒状部が形成され、
前記係合突部は、前記ダルマ穴の大穴部に挿通可能な頭部と、この頭部に連なり且つ前記筒状部に螺合されたネジ部とからなるビスで構成されていることを特徴とする請求項１又は２に記載の給湯装置のカバー固定構造。
【発明の詳細な説明】
【技術分野】
【０００１】
本発明は給湯装置のカバー固定構造に関し、特に、給湯装置の外観の向上を図ったものに関する。
【背景技術】
【０００２】
従来から、電気給湯装置、ガス給湯装置、石油給湯装置等の熱源に応じた種々の給湯装置が広く一般家庭に普及している。特に、電気給湯装置は、湯水を貯留する大容量の貯湯タンクを備え、貯湯タンク内に夜間電力の割安な単価適用時間帯を利用して高温の湯水を蓄え、昼間に給湯することによって電気料金を抑えることができる。
【０００３】
上記の各種の給湯装置は、一般的に箱状の外装ケースに各種機器や各種配管が収納されている。外装ケースの下部には、各種配管の外装ケース内の内部配管と外装ケース外の外部配管とを接続するための配管接続部が設けられている。
【０００４】
ところで、上記の配管接続部は、例えば、特許文献１の貯湯タンクユニットに示すように、平面視コ字型の配管カバーで覆われている。この配管カバーを外装ケースに固定する場合、特許文献１では、外装ケースに形成された複数の溝部に配管カバーに設けられた複数の爪部を係合し、複数の化粧ネジを外方から配管カバーの挿通孔に夫々挿通して、外装ケースの複数のネジ孔に夫々螺合することで固定している。
【先行技術文献】
【特許文献】
【０００５】
【特許文献１】特開２０１２―２１９７号公報
【発明の概要】
【発明が解決しようとする課題】
【０００６】
しかし、特許文献１の配管カバーの固定構造では、化粧ネジの頭部が配管カバーの外表面に突出する構造上、給湯装置の外観の向上を図る上では問題がある。また、化粧ネジを使用せずに配管カバーを外装ケースに固定する構造として、配管カバーの端部にフランジ部を設け、このフランジ部に複数のダルマ穴を形成し、これらダルマ穴を外装ケースに設けられた複数のビスに夫々係合して固定する構造が広く採用されている。
【０００７】
ところが、上記配管カバーの固定構造では、フランジ部と外装ケースとを密着状に固定するのが難しく、フランジ部と外装ケースとの間に隙間が生じ易くガタついてしまう虞がある。
【０００８】
本発明の目的は、給湯装置の外観の向上を図り得る給湯装置のカバー固定構造を提供すること、カバー部材をケース本体に取り付けると同時にカバー部材のフランジ部をケース本体に密着状に固定可能な構造を備えた給湯装置のカバー固定構造を提供すること、等である。
【課題を解決するための手段】
【０００９】
請求項１の給湯装置のカバー固定構造は、ケース本体と、このケース本体に着脱自在に取り付け可能なカバー部材とを備え、前記カバー部材の端部を内方へ屈曲させてフランジ部を形成し、このフランジ部を介して前記カバー部材を前記ケース本体に固定する給湯装置のカバー固定構造において、前記フランジ部と前記ケース本体の一方に形成されたダルマ穴と、前記フランジ部と前記ケース本体の他方に設けられた係合突部であって、前記ダルマ穴に挿入して前記ダルマ穴に対して相対的にスライドすることで前記カバー部材を前記ケース本体に取り付け可能な係合突部と、前記ダルマ穴の近傍壁部でもって形成され且つ前記他方とは反対側に突出するように形成された弾性支持部とを有し、前記弾性支持部を前記係合突部の先端部裏面側に弾性的に当接させることで、前記フランジ部を前記ケース本体に密着状に固定可能に構成したことを特徴としている。
【００１０】
請求項２の給湯装置のカバー固定構造は、請求項１の発明において、前記弾性支持部は、前記スライド方向と直交する方向と平行に形成され且つ前記他方から離隔するように傾斜する１対の傾斜部を有する折曲部で構成されていることを特徴としている。
【００１１】
請求項３の給湯装置のカバー固定構造は、請求項１又は２の発明において、前記他方には前記ダルマ穴に対応する位置に開口部が形成され、この開口部の周縁にはバーリング加工で形成された外方に突出した筒状部が形成され、前記係合突部は、前記ダルマ穴の大穴部に挿通可能な頭部と、この頭部に連なり且つ前記筒状部に螺合されたネジ部とからなるビスで構成されていることを特徴としている。
【発明の効果】
【００１２】
請求項１の発明によれば、給湯装置のカバー固定構造は、フランジ部とケース本体の一方に形成されたダルマ穴と、フランジ部とケース本体の他方に設けられた係合突部であって、ダルマ穴に挿入してダルマ穴に対して相対的にスライドすることでカバー部材をケース本体に取り付け可能な係合突部とを有するので、係合突部をダルマ穴に挿入した状態で、カバー部材をケース本体に対してスライドさせるだけでカバー部材をケース本体に取り付けることができる。
【００１３】
また、この給湯装置のカバー固定構造は、ダルマ穴の近傍壁部でもって形成され且つ他方とは反対側に突出するように形成された弾性支持部を有し、弾性支持部を係合突部の先端部裏面側に弾性的に当接させることで、フランジ部をケース本体に密着状に固定可能に構成したので、カバー部材をケース本体に取り付ける際に、弾性支持部を介してフランジ部をケース本体側に接近させてケース本体に密着状に当接させることができる。従って、フランジ部とケース本体との間の隙間を埋めて、給湯装置の外観を向上させると共にカバー部材のガタツキを防止することができる。
【００１４】
請求項２の発明によれば、弾性支持部は、スライド方向と直交する方向と平行に形成され且つ他方から離隔するように傾斜する１対の傾斜部を有する折曲部で構成されているので、フランジ部とケース本体とを密着させる構造を簡単な構造で実現することができる。また、カバー部材をプレス成形で製作する場合に有利となり、製作コストを低減することができる。
【００１５】
請求項３の発明によれば、他方にはダルマ穴に対応する位置に開口部が形成され、この開口部の周縁にはバーリング加工で形成された外方に突出した筒状部が形成され、係合突部は、ダルマ穴の大穴部に挿通可能な頭部と、この頭部に連なり且つ筒状部に螺合されたネジ部とからなるビスで構成されているので、係合突部のネジ部を筒状部に螺合して係合突部の頭部の裏面側を筒状部の先端部に当接させると、係合突部を締結する際の締め込み量が一定となり、係合突部の高さ方向の位置決めを容易に行うことができる。
【図面の簡単な説明】
【００１６】
【図１】実施例１に係る給湯装置の概略構成図である。
【図２】外装ケースと配管カバーの上方からの斜視図である。
【図３】外装ケースと配管カバーの下方からの斜視図である。
【図４】図２の要部拡大図である。
【図５】図３の要部拡大図である。
【図６】フランジ部のダルマ穴に外装ケースの係合突部を挿入した状態の外装ケースの要部拡大裏面図である。
【図７】フランジ部のダルマ穴に外装ケースの係合突部を挿入しスライドさせた状態の外装ケースの要部拡大裏面図である。
【図８】図７のVIII-VIII線断面図である。
【図９】外装ケースの係合突部近傍部の縦断面図である。
【図１０】配管カバーが固定された状態の外装ケースの下方からの要部拡大斜視図である。
【図１１】部分変更形態に係るダルマ穴の平面図である。
【図１２】図１１のXII-XII線断面図である。
【図１３】部分変更形態に係る配管カバーの上方からの要部拡大斜視図である。
【図１４】部分変更形態に係る外装ケースの下方からの要部拡大斜視図である。
【発明を実施するための形態】
【００１７】
以下、本発明を実施するための形態について実施例に基づいて説明する。
【実施例１】
【００１８】
先ずは、給湯装置１の全体構造について簡単に説明する。
図１に示すように、給湯装置１は、縦長筒状の外周面を有する貯湯タンク３、給水配管４と加熱循環配管５と出湯配管６などの配管系、混合弁８、補助給湯器９、外装ケース１０などを有する貯湯式の電気給湯装置で構成されている。尚、給湯装置１は、電気式のものに限らず、ガス式や石油式などのものを採用しても良い。
【００１９】
尚、この給湯装置１は、熱交換器７による貯湯タンク３内の湯水を加熱可能なヒートポンプ式熱源機２と、このヒートポンプ式熱源機２と給湯装置１との間に湯水を循環させる為の加熱循環配管５などと組み合わせることでヒートポンプ給湯装置Ｃが構成されるが、給湯装置１以外の詳細な説明は省略する。尚、ヒートポンプ式熱源機２に代えて、燃料電池発電装置やガスエンジンを採用しても良い。
【００２０】
次に、外装ケース１０について説明する。
図２，図３に示すように、外装ケース１０（ケース本体に相当する）は、前側板１１、左右１対の側板１２，１３、後側板１４、天板１５、底板１６などを備えて、薄鋼板製の箱状に構成されている。外装ケース１０は、貯湯タンク３、各種の配管４〜６の内部配管、混合弁８，補助給湯器９などを収容している。
【００２１】
外装ケース１０の前側下部には、側面視逆Ｌ字状の仕切り板１７で区画された前方開放状の段差凹み部１８が設けられている。仕切り板１７は、上壁部１７ａと奥壁部１７ｂとから構成されている。段差凹み部１８に外装ケース１０内の各種の配管４〜６の外部配管と内部配管とを接続するための複数の配管継手１９ａを備えた配管接続部１９が設けられている。
【００２２】
次に、配管カバー２１について説明する。
図２，図３に示すように、配管カバー２１（カバー部材に相当する）が、配管接続部１９を覆うように外装ケース１０の段差凹み部１８に着脱自在に取り付けられている。配管カバー２１は、前側板部２２と、左右１対の側板部２３，２４とから平面視コ字型に構成されている。
【００２３】
前側板部２２の上端部には、内方へ直角に屈曲された前側の水平フランジ部２２ａが長手方向の全長に亙って形成されている。左右１対の側板部２３，２４の上端部には、内方へ直角に屈曲された左右１対の水平フランジ部２３ａ，２４ａが長手方向の全長に亙って夫々形成されている。左右１対の側板部２３，２４の後端部には、内方へ直角に屈曲された左右１対の鉛直フランジ部２３ｂ，２４ｂが長手方向の全長に亙って夫々形成されている。配管カバー２１は、これら水平フランジ部２２ａ〜２４ａ，鉛直フランジ部２３ｂ，２４ｂを介して外装ケース１０に固定されている。
【００２４】
次に、本発明に係る給湯装置１のカバー固定構造３０について説明する。
図２〜図８に示すように、カバー固定構造３０は、配管カバー２１を外装ケース１０に固定する為のものであり、外装ケース１０と配管カバー２１に設けられている。即ち、カバー固定構造３０は、配管カバー２１の水平フランジ部２２ａ〜２４ａに夫々形成された複数のダルマ穴３１と、外装ケース１０の上壁部１７ａに設けられた複数の係合突部３２と、水平フランジ部２２ａ〜２４ａの複数のダルマ穴３１の近傍壁部でもって形成された複数の弾性支持部３３とを有している。
【００２５】
次に、複数のダルマ穴３１について説明する。
図２，図４に示すように、複数のダルマ穴３１は、前側のフランジ部２２ａの長手方向の等間隔に形成された３つのダルマ穴３１と、左側の水平フランジ部２３ａに形成された１つのダルマ穴３１と、右側の水平フランジ部２４ａに形成された１つのダルマ穴３１とを有している。複数のダルマ穴３１は全て同じ構造のものであるので、以下では、１つのダルマ穴３１についてのみ説明する。
【００２６】
図２，図４に示すように、ダルマ穴３１は、連続する互いに異なる穴径の２つの穴部から構成されている。即ち、ダルマ穴３１は、後述する係合突部３２の頭部３２ａの外径より大きい大穴部３１ａと、この大穴部３１ａから前後方向（配管カバー２１のスライド方向と平行な方向）の前方に突出し且つ係合突部３２の頭部３２ａの外径より小さい小穴部３１ｂとから一体的に形成されている。
【００２７】
次に、複数の係合突部３２について説明する。
図３，図５に示すように、複数の係合突部３２は、外装ケース１０の上壁部１７ａにおいて５つのダルマ穴３１に対応する５箇所に設けられている。複数の係合突部３２は全て同じ構造のものであるので、以下では、１つの係合突部３２についてのみ説明する。
【００２８】
図８，図９に示すように、係合突部３２は、ダルマ穴３１の大穴部３１ａに挿通可能な頭部３２ａと、この頭部３２ａに連なり且つ小穴部３１ｂより小径のネジ部３２ｂとからなるビスで構成されている。
【００２９】
次に、係合突部３２の外装ケース１０に対する取り付け構造について説明する。
図９に示すように、外装ケース１０には、複数のダルマ穴３１に対応する位置に複数の開口部３５が形成され、これら開口部３５の周縁にはバーリング加工で形成された外方（下方）に突出した筒状部３６が夫々形成されている。係合突部３２のネジ部３２ｂが、筒状部３６の内周部に螺合され、係合突部３２の裏面側が、筒状部３６の先端部に当接されている。
【００３０】
筒状部３６は、ダルマ穴３１の小穴部３１ｂの外径より小さい外径を有している。さらに、筒状部３６は、水平フランジ部２２ａ〜２４ａの板厚以上（例えば、フランジ部の板厚の２倍程度）の高さを有している。筒状部３６は、係合突部３２のネジ部３２ｂの締め付け量を一定にし、係合突部３２の高さ方向の位置決めをすることができる。尚、係合突部３２は、ビスに限定されるものではなく、リベットを採用しても良い。
【００３１】
次に、複数の弾性支持部３３について説明する。
図２，図４，図６〜図８に示すように、複数の弾性支持部３３は、前側の水平フランジ部２２ａと左右１対の水平フランジ部２３ａ，２４ａに夫々形成されている。複数の弾性支持部３３は、水平フランジ部２２ａ〜２４ａの複数のダルマ穴３１の近傍壁部でもって形成され且つ外装ケース１０の上壁部１７ａとは反対側に突出するように夫々形成されている。
【００３２】
前側の水平フランジ部２２ａに形成された弾性支持部３３は、水平フランジ部２２ａの長手方向の全長に亙って形成された折曲部３７で構成されている。この折曲部３７は、スライド方向と直交する方向と平行に形成され且つ外装ケース１０の上壁部１７ａから離隔するように傾斜する１対の傾斜部３７ａ，３７ｂを有している。尚、前側の水平フランジ部２２ａの長手方向の全長に亙って弾性支持部３３が形成されているが、前側の水平フランジ部２２ａの３つのダルマ穴３１の近傍壁部にのみ形成された構造であっても良い。
【００３３】
左右１対の水平フランジ部２３ａ，２４ａに夫々形成された弾性支持部３３は、水平フランジ部２３ａ，２４ａの前後方向中央部後ろ寄り部分に夫々形成された折曲部３８で構成されている。この折曲部３８は、スライド方向と直交する方向と平行に形成され且つ外装ケース１０の上壁部１７ａから離隔するように傾斜する１対の傾斜部３８ａ，３８ｂを有している。水平フランジ部２３ａ，２４ａにおいて、側板部２３，２４と左右１対の折曲部３８との境界部には折曲部形成用のスリット３９が夫々形成されている。
【００３４】
図８に示すように、折曲部３７の１対の傾斜部３７ａ，３７ｂと折曲部３８の１対の傾斜部３８ａ，３８ｂは、例えば約１５０度の開角にて下方へ突出するように断面略Ｖ字状に構成されている。各折曲部３７，３８は、筒状部３６の高さよりも僅かに大きい高さを有し、配管カバー２１を外装ケース１０に取り付けた際に僅かに弾性変形可能である。
【００３５】
このように、このカバー固定構造３０は、係合突部３２を対応するダルマ穴３１に夫々挿入してダルマ穴３１に対して相対的にスライドすることで配管カバー２１を外装ケース１０に取り付け可能に構成され、弾性支持部３３を対応する係合突部３２の先端部裏面側に弾性的に当接させることで、フランジ部２２ａ〜２４ａをケース本体に密着状に固定可能に構成されている。
【００３６】
図１０に示すように、左右１対の鉛直フランジ部２３ｂ，２４ｂの下端部には、前後方向後方に斜め傾斜状に延びる傾斜板部２３ｃ，２４ｃが夫々形成されている。カバー固定構造３０を介して配管カバー２１を外装ケース１０に取り付けた後、ビス３９を左右一対の傾斜板部２３ｃ，２４ｃの挿通穴に夫々通して外装ケース１０に夫々螺合することで、配管カバー２１を外装ケース１０に固定可能である。これら左右一対の傾斜板部２３ｃ，２４ｃは、ビス３９が外装ケース１０の外部に露出しないように配管カバー２１の内側に形成されている。
【００３７】
次に、本発明の給湯装置１のカバー固定構造３０の作用及び効果について説明する。
先ずは、配管カバー２１を外装ケース１０に取り付ける場合、図６に示すように、配管カバー２１の複数のダルマ穴３１の大穴部３１ａに、対応する係合突部３２の頭部３２ａを挿入し貫通させた状態にする。次に、図７に示すように、配管カバー２１を後方へ外装ケース１０の奥壁部１７ｂ側へスライドさせ、係合突部３２のネジ部３２ｂをダルマ穴３１の小穴部３１ｂ内に移動させる。
【００３８】
このとき、図８に示すように、弾性支持部３３においては、折曲部３７，３８の後ろ側の傾斜部３７ｂ，３８ｂが、対応する係合突部３２の頭部３２ａの裏面側に乗り上げるので、配管カバー２１が徐々に上方に上壁部１７ａ側に接近し、左右１対の鉛直フランジ部２３ｂ，２４ｂが奥壁部１７ｂに当接した段階で、弾性支持部３３によるダルマ穴３１の近傍壁部の弾性変形を介して、水平フランジ部２２ａ〜２４ａが外装ケース１０の上壁部１７ａに密着状に当接する。
【００３９】
そして、左右１対の鉛直フランジ部２３ｂ，２４ｂの下端部の傾斜板部２３ｃ，２４ｃを、複数のビス３９を介して外装ケース１０に夫々固定することで、配管カバー２１を外装ケース１０に固定する。配管カバー２１を外装ケース１０から取り外す場合は、上記の逆の手順である。
【００４０】
以上の説明によれば、カバー固定構造３０は、水平フランジ部２２ａ〜２４ａに形成されたダルマ穴３１と、外装ケース１０に設けられた係合突部３２であって、ダルマ穴３１に挿入してダルマ穴３１に対して相対的にスライドすることで配管カバー２１を外装ケース１０に取り付け可能な係合突部３２を有するので、係合突部３２をダルマ穴３１に挿入した状態で、配管カバー２１を外装ケース１０に対してスライドさせるだけで、配管カバー２１を外装ケース１０に取り付けることができ、故に、配管カバー２１を取り付ける為の取付ビスやビス打ち工程を削減することができる。
【００４１】
また、このカバー固定構造３０は、ダルマ穴３１の近傍壁部でもって形成され且つ外装ケース１０とは反対側に突出するように形成された弾性支持部３３とを有し、弾性支持部３３を係合突部３２の先端部裏面側に弾性的に当接させることで、水平フランジ部２２ａ〜２４ａを外装ケース１０に密着状に固定可能に構成したので、配管カバー２１を外装ケース１０に取り付ける際に、弾性支持部３３を介して水平フランジ部２２ａ〜２４ａを外装ケース１０側に接近させて外装ケース１０に密着状に当接させることができる。従って、水平フランジ部２２ａ〜２４ａと外装ケース１０との間の隙間を埋めて、給湯装置１の外観を向上させると共に配管カバー２１のガタツキを防止することができる。
【００４２】
さらに、弾性支持部３３は、スライド方向と直交する方向と平行に形成され且つ外装ケース１０から離隔するように傾斜する１対の傾斜部３７ａ，３７ｂ（３８ａ，３８ｂ）を有する折曲部３７，３８で構成されているので、水平フランジ部２２ａ〜２４ａと外装ケース１０との密着を簡単な構造で実現することができる。また、配管カバー２１をプレス成形で製作する場合に有利となり、製作コストを低減することができる。
【００４３】
加えて、外装ケース１０にはダルマ穴３１に対応する位置に開口部３５が形成され、この開口部３５の周縁にはバーリング加工で形成された外方に突出した筒状部３６が形成され、係合突部３２は、ダルマ穴３１の大穴部３１ａに挿通可能な頭部３２ａと、この頭部３２ａに連なり且つ筒状部３６に螺合されたネジ部３２ｂとからなるビスで構成されているので、係合突部３２のネジ部３２ｂを筒状部３６に螺合して係合突部３２の頭部３２ａの裏面側を筒状部３６の先端部に当接させることができ、故に、係合突部３２を締結する際の締め込み量が一定となり、係合突部３２の高さ方向の位置決めを容易に行うことができる。
【００４４】
次に、前記実施例部分的に変更する例について説明する。
［１］図１１，図１２に示すように、カバー固定構造３０Ａにおいて、弾性支持部３３Ａは、ダルマ穴３１の小穴部３１ｂの左右方向に対向する両端部から下方に直角に夫々屈曲された１対の切起し片４１ａ，４１ｂで構成されても良い。各切起し片４１ａ，４１ｂは、ダルマ穴３１の近傍壁部でもって形成され且つ外装ケース１０とは反対側に突出するように形成されている。各切起し片４１ａ，４１ｂは、側面視三角形状に形成され、外装ケース１０から離隔するように傾斜する１対の傾斜部４２ａ，４２ｂを夫々有する。
【００４５】
［２］図１３，図１４に示すように、カバー固定構造３０Ｂにおいて、ダルマ穴３１Ｂは、正方形状の大穴部３１Ｂａと、この大穴部３１Ｂａから前後方向前方に延びるように形成されたスリット状の小穴部３１Ｂｂとから平面視Ｌ字状に形成されても良く、係合突部３２Ｂは、ダルマ穴３１Ｂの大穴部３１Ｂａに挿通可能な横板部３２Ｂａと、この横板部３２Ｂａに連なり且つ小穴部３２Ｂｂに挿入可能な縦板部３２Ｂｂとからなる正面視Ｌ字型に構成されても良い。
【００４６】
前記実施例で説明した弾性支持部３３、ダルマ穴３１、係合突部３２や上記の［１］，［２］で説明した弾性支持部３３Ａ、ダルマ穴３１Ｂ、係合突部３２Ｂは、ほんの１例を示したに過ぎず、これらの形状に限定する必要はなく種々の形状のものを適宜適用可能である。
【００４７】
［３］前記実施例において、水平フランジ部２２ａ〜２４ａにダルマ穴３１が形成され、外装ケース１０に係合突部３２が設けられているが、この構造に限定する必要はなく、水平フランジ部２２ａ〜２４ａに係合突部３２が設けられ、外装ケース１０にダルマ穴３１が形成された構造であっても良い。また、ダルマ穴３１及び係合突部３２の数は特に限定されるものではない。
【００４８】
［４］バーリング加工による筒状部３６は必ずしも必要ではなく、筒状部３６を省略して、係合突部３２のネジ部３２ｂを直接外装ケース１０に螺合させることで固定しても良い。この場合、係合突部３２の頭部３２ａの裏面側と外装ケース１０との間に、水平フランジ部２２ａ〜２４ａの板厚以上の隙間が設けられれば良い。
【００４９】
［５］前記実施例において、本発明のカバー固定構造３０は、配管カバー２１の外装ケース１０に対する固定構造に適用されているが、配管カバー２１に限定する必要はなく、フロントカバーやサイドカバー等の他のカバー部材の外装ケース１０に対する固定構造に適用しても良い。
【００５０】
［６］その他、当業者であれば、本発明の趣旨を逸脱することなく、前記実施例に種々の変更を付加した形態で実施可能であり、本発明はそのような変更形態を包含するものである。
【符号の説明】
【００５１】
１        給湯装置
１０      外装ケース（ケース本体）
２１      配管カバー（カバー部材）
２２ａ〜２４ａ  フランジ部
３０      カバー固定構造
３１      ダルマ穴
３２      係合突部
３２ａ    頭部
３２ｂ    ネジ部
３３      弾性支持部
３７，３８  折曲部
３７ａ，３７ｂ，３８ａ，３８ｂ  傾斜部
３５  開口部
３６  筒状部
【図１】
2014105910.tif 000003
【図２】
2014105910.tif 000004
【図３】
2014105910.tif 000005
【図４】
2014105910.tif 000006
【図５】
2014105910.tif 000007
【図６】
2014105910.tif 000008
【図７】
2014105910.tif 000009
【図８】
2014105910.tif 000010
【図９】
2014105910.tif 000011
【図１０】
2014105910.tif 000012
【図１１】
2014105910.tif 000013
【図１２】
2014105910.tif 000014
【図１３】
2014105910.tif 000015
【図１４】
2014105910.tif 000016